(57)【特許請求の範囲】
【請求項１】
合成樹脂製であって、円筒状のラップを収納する収納ケース部と、この収納ケース部に回動可能に設けられ、上記収納ケース部を開閉可能に覆いうると共に、引き出されたラップフィルムを切断しうる刃部材を有する蓋部とを備え、上記蓋部は、引き出されたラップフィルムを上記収納ケース部を閉止する際に上記刃部材により切断しうるように構成され、
上記収納ケース部は、上記円筒状のラップを収納しうるように上方部が開放された箱状に形成され、上記ラップを内部で回転可能に支持して収納ケース部の幅方向前方へ引き出し得るように構成されると共に、上記蓋部は上記収納ケース部の幅方向後端部に回動可能に固定され、上記蓋部の回動方向先端部には刃部材が設けられ、
上記収納ケース部の幅方向前端部には、蓋部が収納ケース部を被覆する際に、上記刃部材が収納されうる刃部収納部が形成され、上記刃部収納部に上記刃部材が収納される際に上記刃部材により上記刃部収納部上に配置されたラップフィルムを切断しうるように構成され、
上記刃部収納部は、上記収納ケース部を形成する幅方向前端部側の壁部の上端部に形成され、幅方向に所定間隔を置いて対向して形成された前後一対の刃部収納壁部により形成されると共に、上記前後一対の刃部収納壁部における後方の刃部収納壁部の上面部、前側面部及び後側面部には、上記前側面部及び後側面部の間において、上記ラップを緊張状態で固定しうるラップ滑り止め部が設けられ、
上記刃部材の近傍には、長さ方向に沿って背板が設けられ、上記刃部材の刃先は、蓋部の回動方向先端部に形成された前壁部の先端及び上記背板の先端よりも低く形成されると共に、上記背板の先端部は上記前壁部先端部よりも高く形成され、上記背板は、蓋部が上記収納ケース部を閉止した状態で、上記刃部収納壁部の上に載置されたラップフィルムを後側の刃部収納壁部の後方で下方へ押し下げるように構成されていることを特徴とするラップケース。
【請求項２】
上記刃部収納部を構成する前後一対の刃部収納壁部には、使用者が指を上記刃部収納部内に挿入しうる切欠部が形成され、ラップフィルムを引き出す際には上記切欠部に指を挿入して、ラップフィルム先端部を保持しうるように構成されていることを特徴とする請求項１記載のラップケース。
【請求項３】
上記収納ケース部と上記蓋部における長さ方向の端部には、上記蓋部が上記収納ケース部を閉止した状態を固定しうるロック機構が設けられたことを特徴とする請求項１または請求項２いずれか一つの請求項記載のラップケース。
【請求項４】
上記収納ケース部の長さ方向の端壁部には、その端壁部を貫通して着脱可能で、装着されることにより上記収納ケース部に配置したラップの巻芯内に挿入してラップを回転しうるように保持すると共に、上記端壁部から抜出されることによりラップの巻芯から脱出して上記収納ケース部からラップを取り出し可能とするラップ係止部材が設けられたことを特徴とする請求項１から請求項３いずれか一つの請求項記載のラップケース。
【請求項５】
上記刃部材は細長板状に形成され、蓋部の長さ方向に沿って配置されていることを特徴とする請求項１から請求項４いずれか一つの請求項記載のラップケース。
【請求項６】
上記蓋部と収納ケース部を回動自在に連結する部位には、蓋部が収納ケース部に対し全開しないように所要角度だけ回転した状態でその回転を停止させうるストッパが設けられたことを特徴とする請求項１から請求項５いずれか一つの請求項記載のラップケース。
【請求項７】
上記収納ケース部の底部には、円筒状のラップを回転可能に保持しうる曲面からなるラップ摺接面を有するリブが設けられたことを特徴とする請求項１から請求項６いずれか一つの請求項記載のラップケース。
【請求項８】
上記収納ケース部及び蓋部はＡＢＳ樹脂製であることを特徴とする請求項１から請求項７いずれか一つの請求項記載のラップケース。
【請求項９】
上記収納ケース部の底部裏面側には磁力による固定手段が設けられていることを特徴とする請求項１から請求項８いずれか一つの請求項記載のラップケース。
【請求項１０】
上記ラップフィルムはポリエチレン製、又はポリプロピレン製、又はポリエチレンとポリプロピレンの複合構造であることを特徴とする請求項１から請求項９いずれか一つの請求項記載のラップケース。
【請求項１１】
上記刃部材は目立てされていることを特徴とする請求項１から請求項１０いずれか一つの請求項記載のラップケース。
【発明の詳細な説明】
【技術分野】
【０００１】
本発明は、ケース内に収容したラップフイルムを必要なときに所要の長さづつ引き出しては切り取って使用する形式のラップケースに関する。
【背景技術】
【０００２】
従来知られているこの種のラップケースは、金属製カッター部分が紙箱部分に装備された構成（特許文献１参照）であったために、カッター部分と紙箱部分とは、分別された状態で捨てられており、捨てるにも手間がかかっていた。
【特許文献１】実公平０７−３８１２９号公報
【０００３】
また、上記の使い捨てのラップケースは、近年、問題としてクローズアップされている環境汚染を抑制するためにも、また地球資源および焼却燃料の無駄を少なくするためにも、各家庭や自治体の回収費用を削減するためにも好ましくない。
【０００４】
さらに、今日、環境問題が問われる中、塩化ビニールがダイオキシンを発生するなどの理由から社会問題化しており、塩化ビニール製ラップがポリエチレンラップに変わりつつある。
【０００５】
しかしながら、ポリエチレンラップを従来の紙箱ケースの刃でカットしようとした場合には、ポリエチレンラップは塩化ビニールラップに比して非常に粘りがあることから、カットしにくく、無理に切断しようとした場合には、誤って手を切る可能性がある。
また、ポリエチレンラップを切るときには、一般に手を回転させて手前方向に返しながらカットしていたために、切り取ったラップの端部がくっついてしまうことがしばしばで、使用者においてはストレスを感じることがあった。
【０００６】
また、従来のラップケースは、ラップを引き出す場合や切断する場合に、カッター部分に指が触れて傷付きやすいという問題もあった。
【発明の開示】
【発明が解決しようとする課題】
【０００７】
本発明の課題は、上記背景技術において述べたような諸問題を解決することにある。具体的には、ポリエチレン製のラップであっても、容易、確実かつ安全に切り取れると共に使いやすく、又、使い捨てせず繰り返し何度でも再使用することができて省資源化等を可能にする新規のラップケースを提供することにある。
【課題を解決するための手段】
【０００８】
上記課題を解決するために、請求項１記載の本発明のラップケースは、合成樹脂製であって、円筒状のラップを収納する収納ケース部と、この収納ケース部に回動可能に設けられ、上記収納ケース部を開閉可能に覆いうると共に、引き出されたラップフィルムを切断しうる刃部材を有する蓋部とを備え、上記蓋部は、引き出されたラップフィルムを上記収納ケース部を閉止する際に上記刃部材により切断しうるように構成され、上記収納ケース部は、上記円筒状のラップを収納しうるように上方部が開放された箱状に形成され、上記ラップを内部で回転可能に支持して収納ケース部の幅方向前方へ引き出し得るように構成されると共に、上記蓋部は上記収納ケース部の幅方向後端部に回動可能に固定され、上記蓋部の回動方向先端部には刃部材が設けられ、上記収納ケース部の幅方向前端部には、蓋部が収納ケース部を被覆する際に、上記刃部材が収納されうる刃部収納部が形成され、上記刃部収納部に上記刃部材が収納される際に上記刃部材により上記刃部収納部上に配置されたラップフィルムを切断しうるように構成され、上記刃部収納部は、上記収納ケース部を形成する幅方向前端部側の壁部の上端部に形成され、幅方向に所定間隔を置いて対向して形成された前後一対の刃部収納壁部により形成されると共に、上記前後一対の刃部収納壁部における後方の刃部収納壁部の上面部、前側面部及び後側面部には、上記前側面部及び後側面部の間において、上記ラップを緊張状態で固定しうるラップ滑り止め部が設けられ、上記刃部材の近傍には、長さ方向に沿って背板が設けられ、上記刃部材の刃先は、蓋部の回動方向先端部に形成された前壁部の先端及び上記背板の先端よりも低く形成されると共に、上記背板の先端部は上記前壁部先端部よりも高く形成され、上記背板は、蓋部が上記収納ケース部を閉止した状態で、上記刃部収納壁部の上に載置されたラップフィルムを後側の刃部収納壁部の後方で下方へ押し下げるように構成されていることを特徴とする。
【０００９】
即ち、本発明に係るラップケースにあっては、収納ケース部内に収容したラップのラップフィルムを所要の長さづつ引き出しては、蓋部に取付けられた刃部材により切断して使用できる。
また、本発明に係るラップケースにあっては、収納ケース部内に収容したラップのラップフィルムを所要の長さづつ引き出しては、収納ケース部を被覆する方向へ蓋部を回転させて、その蓋部に取付けられた刃部材を上記刃部収納部へ収納させることにより刃部材によりラップフィルムを切断することができる。
【００１０】
また、本発明に係るラップケースにあっては、刃部材に指を近づけた場合に、その刃部材の刃先よりも外方へ突出している背板の先端及び前壁部の先端に指が接触して、刃先には指が接触しにくくなる。
また、蓋部を閉止すると、背板がラップフィルムを押し下げて、そのラップフィルムに張力が付与される。
【００１１】
また、本発明に係るラップケースにあっては、上記刃部収納壁部の上にラップが載置された状態で、その前後一対の刃部収納壁部間に刃部材が挿入してラップフィルムが切断されるものである。
【００１２】
また、本発明に係るラップケースにあっては、刃部材によりラップフィルムを切断するときに、そのラップフィルムは、後方の刃部収納壁部の上面部及び前側面部に設けられた滑り止め部材に接触して所定の張力を持った状態で固定されるものである。
【００１３】
また、請求項２記載の本発明のラップケースは、上記刃部収納部を構成する前後一対の刃部収納壁部には、使用者が指を上記刃部収納部内に挿入しうる切欠部が形成され、ラップフィルムを引き出す際には上記切欠部に指を挿入して、ラップフィルム先端部を保持しうるように構成されていることを特徴とする。
【００１４】
即ち、本発明に係るラップケースにあっては、ラップフィルムを切断した後に、上記切欠部に指を挿入して、次に切断しようとするラップフィルムをその指で摘むことにより引き出すことができる。
【００１５】
また、請求項３記載の本発明のラップケースは、上記収納ケース部と上記蓋部における長さ方向の端部に、上記蓋部が上記収納ケース部を閉止した状態を固定しうるロック機構が設けられたことを特徴とする。
【００１６】
即ち、本発明に係るラップケースにあっては、ラップフィルムを切断する必要がない場合は、蓋部により上記収納ケース部を閉止し、上記ロック機構によりその閉止状態を固定することができる。
【００１７】
また、請求項４記載の本発明のラップケースは、上記収納ケース部の長さ方向の端壁部には、その端壁部を貫通して着脱可能で、装着されることにより上記収納ケース部に配置したラップの巻芯内に挿入してラップを回転しうるように保持すると共に、上記端壁部から抜出されることによりラップの巻芯から脱出して上記収納ケース部からラップを取り出し可能とするラップ係止部材が設けられたことを特徴とする。
【００１８】
即ち、本発明に係るラップケースにあっては、上記ラップ係止部材を装着したり抜き出すことによりラップを保持したり、取り出したりすることができる。
【００１９】
また、請求項５記載の本発明のラップケースは、上記刃部材が細長板状に形成され、蓋部の長さ方向に沿って配置されていることを特徴とする。
【００２０】
即ち、本発明に係るラップケースにあっては、上記刃部材がラップの幅方向全体を一度に切断することができる長さを有している。
【００２１】
また、請求項６記載の本発明のラップケースは、上記蓋部と収納ケース部を回動自在に連結する部位に、蓋部が収納ケース部に対し全開しないように所要角度だけ回転した状態でその回転を停止させうるストッパが設けられたことを特徴とする。
【００２２】
即ち、本発明に係るラップケースにあっては、蓋部が収納ケース部の上方を開放する方向へ所要角度回転したときにストッパがそれ以上の回転を阻止し、上記蓋部が全開しないようにすることができる。
【００２３】
また、請求項７記載の本発明のラップケースは、上記収納ケース部の底部に、円筒状のラップを回転可能に保持しうる曲面からなるラップ摺接面を有するリブが設けられていることを特徴とする。
【００２４】
即ち、本発明に係るラップケースにあっては、ラップが上記リブのラップ摺接面により回転しやすくなる。
【００２５】
また、請求項８に係るラップケースは、上記収納ケース部及び蓋部がＡＢＳ樹脂製であることを特徴とする。
【００２６】
即ち、本発明に係るラップケースにあっては、上記ラップケースがＡＢＳ樹脂製であることから、ラップフィルムを使い切った場合に廃棄せず、新しいラップを再び収納して使用することができる。
【００２７】
また、請求項９に係るラップケースは、上記収納ケース部の底部裏面側には磁力による固定手段が設けられていることを特徴とする。
【００２８】
即ち、本発明に係るラップケースにあっては、使用しないときには上記磁力を使用した固定手段により冷蔵庫等に吸着させておくことができる。
【００２９】
また、請求項１０に係るラップケースは、上記ラップフィルムはポリエチレン製、又はポリプロピレン製、又はポリエチレンとポリプロピレンの複合構造であることを特徴とする。
【００３０】
即ち、本発明に係るラップケースにあっては、上記のように問題の多い塩化ビニル製のラップに変えて問題の少ないポリオレフィン製ラップを使用するものである。
【００３１】
また、請求項１１に係るラップケースは、上記刃部材が目立てされていることを特徴とする。
【００３２】
即ち、本発明に係るラップケースにあっては、刃部材の切れ味が良好である。
【発明の効果】
【００３３】
請求項１記載の本発明のラップケースは、合成樹脂製であって、円筒状のラップを収納する収納ケース部と、この収納ケース部に回動可能に設けられ、上記収納ケース部を開閉可能に覆いうると共に、引き出されたラップフィルムを切断しうる刃部材を有する蓋部とを備え、上記蓋部は、引き出されたラップフィルムを上記収納ケース部を閉止する際に上記刃部材により切断しうるように構成されていることから、蓋部を回転させることにより刃部材でラップフィルムを切断することができる。
従って、ラップフィルムを切断する場合に、従来のラップケースのように手を返すように回転させる必要がないので、操作が容易である。また、従来のラップケースのようにラップフィルムを切断する場合に手を回転させると、ラップフィルム同士がくっついてしまうという不具合があるが、本発明のラップケースは、このような不具合もない。
【００３４】
また、上記収納ケース部が、上記円筒状のラップを収納しうるように上方部が開放された箱状に形成され、上記ラップを内部で回転可能に支持して収納ケース部の幅方向前方へ引き出し得るように構成されていることから、ラップを収納部に収納しやすく、かつ、その収納部からラップフィルムを前方へ引き出しやすい。
また、上記蓋部は上記収納ケース部の幅方向後端部に回動可能に固定され、上記蓋部の回動方向先端部には刃部材が設けられ、上記収納ケース部の幅方向前端部には、蓋部が収納ケース部を被覆する際に、上記刃部材が収納されうる刃部収納部が形成され、上記刃部収納部に上記刃部材が収納される際に上記刃部材により上記刃部収納部上に配置されたラップフィルムを切断しうるように構成されていることから、蓋部を回転させて、その蓋部に取付けられた刃部材を上記刃部収納部へ収納させることによりラップフィルムを切断することができるので、操作が容易かつ安全で、ラップフィルムを確実に切断することができる。
【００３５】
また、上記刃部収納部は、上記収納ケース部を形成する幅方向前端部側の壁部の上端部に形成され、幅方向に所定間隔を置いて対向して形成された前後一対の刃部収納壁部により形成され、上記刃部収納壁部の上にラップフィルムが載置された状態で、その前後一対の刃部収納壁部間に刃部材が挿入してラップフィルムが切断されることから、刃部材により切断されるラップフィルムは、一対の刃部収納壁部の上面間に張力を持って載置されるので、刃部材によるラップフィルムの切断が容易かつ確実である。
【００３６】
また、上記前後一対の刃部収納壁部における後方の刃部収納壁部の上面部、前側面部及び後側面部に、引き出したラップフィルムを所定の張力を持った状態で固定しうるラップ滑り止め部が設けられ、刃部材によりラップフィルムを切断するときに、そのラップフィルムは、刃部収納壁部の上面部及び前側面部に設けられた滑り止め部材に接触して固定されることから、ラップフィルムが緊張状態を維持して刃部材による切断が容易である。
また、ラップフィルムが切断された後も、次に引き出そうとするラップフィルムの先端部が滑り止め部材に保持されるので、引き出しやすい。
また、上記刃部材は、蓋部の回動方向先端部に配置され、その刃部材の近傍に長さ方向に沿って背板が設けられ、上記刃部材の刃先は、蓋部の回動方向先端部に形成された前壁部の先端及び上記背板の先端よりも低く形成され、上記背板は、蓋部が上記収納ケース部を閉止した状態で、上記収納壁部の上に載置されたラップフィルムを後側の収納壁部の後方で下方へ押し下げるように構成されたことから、刃部材に指を近づけた場合に、その刃部材の刃先よりも外方へ突出している背板及び前壁部の先端に指が接触して、刃先には指が接触しにくくなるので、指が刃先に触れて怪我をしにくくなる。
また、蓋部を閉止すると、背板がラップフィルムをを押し下げて、そのラップフィルムに張力が付与されるので、ラップフィルムを刃部材により切断しやすくなる。
【００３７】
また、請求項２記載の本発明のラップケースにあっては、上記刃部収納部を構成する前後一対の刃部収納壁部には、使用者が指を上記刃部収納部内に挿入しうる切欠部が形成され、ラップフィルムを引き出す際には上記切欠部に指を挿入して、ラップフィルム先端部を保持しうることから、ラップフィルムを切断した後に、上記切欠部に指を挿入して、次に切断しようとするラップフィルムをその指で摘むことにより容易に引き出すことができて使い勝手が良い。
【００３８】
また、請求項３記載の本発明のラップケースにあっては、上記収納ケース部と上記蓋部における長さ方向の端部には、上記蓋部が上記収納ケース部を閉止した状態を固定しうるロック機構が設けられたことから、ラップフィルムを切断する必要がない場合は、蓋部により上記収納ケース部を閉止し、上記ロック機構によりその閉止状態を固定することができるので、蓋部が安易に開いて中身のラップが飛び出したり、汚れるのを防止することができる。
【００３９】
また、請求項４記載の本発明のラップケースは、上記収納ケース部の長さ方向の端壁部には、その端壁部を貫通して着脱可能で、装着されることにより上記収納部に配置したラップの巻芯内に挿入してラップを回転しうるように保持すると共に、上記端壁部から抜出されることによりラップの巻芯から脱出して上記収納ケース部からラップを取り出し可能とするラップ係止部材が設けられたことから、上記ラップ係止部材の装着及び抜出しによりラップを保持したり、取り出したりできるので、ラップの交換が容易で迅速に行うことができる。
【００４０】
また、請求項５記載の本発明のラップケースは、上記刃部材が細長板状に形成され、蓋部の長さ方向に沿って配置されていることから、ラップフィルムの幅方向全体を一度に切断することができ、ラップフィルムの切断が容易である。
【００４１】
また、請求項６記載の本発明のラップケースにあっては、上記蓋部と収納ケース部を回動自在に連結する部位には、蓋部が収納ケース部に対し全開しないように所要角度だけ回転した状態でその回転を停止させうるストッパが設けられたことから、蓋部が収納ケース部の上方を開放する方向へ所要角度回転したときにストッパがその回転を阻止して蓋部が全開しないようにすることができるので、手に保持した状態でラップの切断作業を行う場合に、手の小さい人でも保持しやすく、切断作業をしやすい。
【００４２】
また、請求項７記載の本発明のラップケースにあっては、上記収納ケース部の底部には、円筒状のラップを回転可能に保持しうる曲面からなるラップ摺接面を有するリブが設けられていることから、ラップが上記リブのラップ摺接面により回転しやすくなり、ラップの引き出しがスムースにできる。
【００４３】
また、請求項８記載の本発明のラップケースにあっては、上記収納ケース部及び蓋部がＡＢＳ樹脂製であることから、ラップを使い切った場合に廃棄せず、新しいラップを再び収納して使用することができるので、資源の有効な活用に寄与することができる。また、ＡＢＳ樹脂製であることから、表面に付着した汚れを落しやすく清潔に保つことができる。また、表面にデザイン印刷を施すことも容易である。
【００４４】
また、請求項９記載の本発明のラップケースにあっては、上記収納ケース部の底部裏面側には磁力による固定手段が設けられていることから、使用しないときには上記磁力を使用した固定手段により冷蔵庫等に吸着させておくことができるので、保管が便利である。
【００４５】
また、請求項１０記載の本発明のラップケースにあっては、上記ラップフィルムはポリエチレン製、又はポリプロピレン製、又はポリエチレンとポリプロピレンの複合構造であることから、塩化ビニル製のラップフィルムのように焼却してもダイオキシンのような有害物質を発生しないので環境汚染を防止することができる。
【００４６】
また、請求項１１記載の本発明のラップケースは、上記刃部材が目立てされていることから、刃部材の切れ味が良好で、ラップフィルムをスムースに切断することができ、又、切り跡も綺麗である。
【発明を実施するための最良の形態】
【００４７】
以下、図面を用いて本発明に係る実施形態について説明する。
まず、本実施形態に係るラップケース１は、合成樹脂製であって、図１〜図４に示すように、円筒状のラップ４を収納する収納ケース部２と、この収納ケース部２に回動可能に設けられ、上記収納ケース部２を開閉可能に覆いうると共に、引き出されたラップフィルム５を切断しうる刃部材３４を有する蓋部３とを備え、上記蓋部３は、引き出されたラップフィルム５を上記収納ケース部２を閉止する際に上記刃部材３４により切断しうるように構成されている。
また、上記収納ケース部２は、図１〜図４に示すように、上記円筒状のラップ４を収納しうるように上方部が開放された箱状に形成され、上記ラップ４を内部で回転可能に支持して収納ケース部２の幅方向前方へ引き出し得るように構成されると共に、上記蓋部３は上記収納ケース部２の幅方向後端部に回動可能に固定され、上記蓋部３の回動方向先端部には刃部材３４が設けられ、上記収納ケース部２の幅方向前端部には、蓋部３が収納ケース部２を被覆する際に、上記刃部材３４が収納されうる刃部収納部１８が形成され、上記刃部収納部１８に上記刃部材３４が収納される際に上記刃部材３４により上記刃部収納部１８上に配置されたラップフィルム５を切断しうるように構成されている。
また、上記刃部収納部１８は、図１〜図４に示すように、上記収納ケース部２を形成する幅方向前端部側の壁部１６の上端部に形成され、幅方向に所定間隔を置いて対向して形成された前後一対の刃部収納壁部１９，２０により形成されている。
また、図１及び図２に示すように、上記前後一対の刃部収納壁部１９，２０における後方の刃部収納壁部２０の上面部、前側面部及び後側面部には、ラップ滑り止め部２３が設けられている。
また、図１に示すように、上記刃部収納部１８を構成する前後一対の刃部収納壁部１９，２０には、使用者が指を上記刃部収納部１８内に挿入しうる切欠部２１，２２が形成され、ラップフィルム５を引き出す際には上記切欠部２１，２２に指を挿入して、ラップフィルム５先端部を保持しうるように構成されている。
また、図１及び図７に示すように、上記収納ケース部２と上記蓋部３における長さ方向の端部には、上記蓋部３が上記収納ケース部２を閉止した状態を固定しうるロック機構３９が設けられている。
また、図１，図５及び図６に示すように、上記収納ケース部２の長さ方向の端壁部８には、その端壁部８を貫通して着脱可能で、装着されることにより上記収納ケース部２に配置したラップ４の巻芯６内に挿入してラップ４を回転しうるように保持すると共に、上記端壁部８から抜出されることによりラップ４の巻芯６から脱出して上記収納ケース部２からラップ４を取り出し可能とするラップ係止部材７が設けられている。
また、図１に示すように、上記刃部材３４は細長板状に形成され、蓋部３の長さ方向に沿って配置されている。
また、図１、図２及び図４に示すように、上記刃部材３４は、蓋部３の回動方向先端部に配置され、その刃部材３４の近傍に長さ方向に沿って背板３８が設けられ、上記刃部材３４の刃先は、蓋部３の回動方向先端部に形成された前壁部３７の先端及び上記背板３８の先端よりも低く形成され、上記背板３８は、蓋部３が上記収納ケース部２を閉止した状態で、上記収納壁部１９，２０の上に載置されたラップフィルム５を後側の収納壁部２０の後方で下方へ押し下げるように構成されている。
また、図８及び図９に示すように、上記蓋部３と収納ケース部２を回動自在に連結する部位には、蓋部３が収納ケース部２に対し全開しないように所要角度だけ回転した状態でその回転を停止させうるストッパ３２，３３が設けられている。
また、図１及び図２に示すように、上記収納ケース部２の底部には、円筒状のラップ４を回転可能に保持しうる曲面からなるラップ摺接面１５を有するリブ１４が設けられている。
また、上記収納ケース部２及び蓋部３はＡＢＳ樹脂により成形されている。
また、図２及び図４に示すように、上記収納ケース部２の底部裏面側には磁力による固定手段２５が設けられている。
また、上記ラップフィルム５はポリエチレン、又はポリプロピレン、又はポリエチレンとポリプロピレンの複合素材により形成されている。
また、上記刃部材３４は目立てされている。
【実施例１】
【００４８】
以下、図示した本発明の実施例について説明する。
まず、本実施例に係るラップケース１は、図１及び図２に示すように、収納ケース部２と蓋部３を有して構成され、上記収納ケース部２と蓋部３は共に合成樹脂により、具体的にはＡＢＳ樹脂により成形されている。
【００４９】
上記収納ケース部２は、図１及び図２に示すように、円筒状に形成されたラップ４を収納して保持すると共に、そのラップフィルム５を引き出しうるように、上方部が開放された横長の略箱状に形成されている。
【００５０】
なお、ラップ４は、図２及び図４に示すように、厚紙により円筒形に形成された巻芯６の外周部にラップフィルム５を巻き付けて構成されている。そして、そのラップフィルム５はポリエチレン、又はポリプロピレン、又はポリエチレンとポリプロピレンの複合素材により形成されている。従来の塩ビ製のラップフィルムは焼却した場合にダイオキシン等の有害物質を発生するが、このポリエチレン等で形成されたラップフィルム５は焼却しても有害物質を発生しないので環境汚染を防止することができる。
【００５１】
上記収納ケース部２に収納されたラップ４は、図１、図５及び図６に示すように、ラップ係止部材７により係止されて、抜け出さないように保持されている。このラップ係止部材７は上記収納ケース部２における長さ方向の両端に形成された端壁部８に着脱可能に装着されている。
【００５２】
上記ラップ係止部材７は、図１、図５及び図６に示すように、円板状の頭部９と、その頭部９から内方へ突出された筒部１０を有し、その筒部１０はスリット１１により弾性変形容易に形成され、その筒部１０の先端外面部には係止部１２が設けられている。
【００５３】
上記ラップ係止部材７は、図１、図５及び図６に示すように、上記収納ケース部２の長さ方向の両端に形成された端壁部８の外面側に上記頭部９を配置して、その筒部１０が端壁部８に形成された孔１３を貫通する状態に装着されている。
【００５４】
上記ラップ係止部材７の筒部１０は、上記の孔１３に対し内外方向へ移動可能で、外方へ移動させたときに上記係止部１２が端壁部８の内面側の孔１３の縁に係止して抜け止めされ、又、その筒部１０を径方向に縮小させれば、係止部１２の係止が外れて、係止部１２は孔１３を通過可能となり、ラップ係止部材７は端壁部８から取り外し可能となるように形成されている。
【００５５】
上記収納ケース部２に上記ラップ２を収容して、上記ラップ係止部材７を上記端壁部８に装着し、その筒部１０を内方へ移動させると、その筒部１０がラップ２の巻芯６の内部に挿入してラップ２が収納ケース部２から脱出しないように保持される。
逆に、筒部１０を端壁部８から抜き取れば、ラップ２がフリーとなって収納ケース部２から取り出し可能となる。なお、筒部１０を外方へ移動させて、係止部１２が端壁部８の内面側の孔１３の縁に係止した状態でも、ラップ２が取り出せるように寸法が設定されている。
【００５６】
上記収納ケース部２に収容されたラップ２のラップフィルム５を引き出す場合は、ラップ４が回転することになる。従って、ラップ４がスムースに回転しないと、ラップフィルム５の引き出しが阻害されてしまう。そこで上記収納ケース部２の底面には、図１及び図２に示すように、長さ方向の複数箇所に、ラップ２を回転しやすくするためのリブ１４が幅方向に形成されている。
【００５７】
上記リブ１４は、円筒状のラップ２を回転可能に保持しうる曲面からなるラップ摺接面１５を有している。
【００５８】
なお、上記リブ１４は、収納ケース部２の幅方向後部側の方が、幅方向前部側よりも高さ寸法が大きくなるように形成してもよい。そのようにすれば、ラップ２は、収納ケース部２内で、上記リブ１４の高さの相違により常時前方に押された状態で配置されることになるので、収納ケース２部の幅方向後方への巻き戻りが発生せず、次回のラップフィルム５の引き出しが容易になる。
【００５９】
上記収納ケース部２における幅方向の前端部、すなわち、上記収納ケース部２における前壁部１６の上端には、図１及び図２に示すように、前方へ突出する顎板部１７が設けられ、その顎板部の１７の上に刃部収納部１８が設けられている。
【００６０】
上記刃部収納部１８は，図１及び図２に示すように、平行に立設された前後一対の刃部収納壁部１９，２０によって構成されている。この刃部収納壁部１９，２０は上記顎板部１７の上面側に長さ方向に沿って形成され、その長さ方向の中央部には、図１に示すように、手の指を挿入しうる幅の切欠部２１，２２が形成されている。
【００６１】
従って、上記切欠部２１，２２に指を挿入することにより、収納ケース部２に収容されたラップ４のラップフィルム５指で摘んで容易に引き出すことができる。
【００６２】
上記刃部収納部１８における幅方向後方に位置する刃部収納壁部２０には、図１及び図２に示すように、その上面部、前側面部及び後側面部とにラップ滑り止め部２３が設けられている。
【００６３】
上記ラップ滑り止め部２３は、本実施例ではシート状に形成されたものが貼着されて形成されている。このシート状に形成されたラップ滑り止め部２３は、ごく僅かな荷重でも極めて高いノンスリップ性を発揮する弾性ＡＢＳ系樹脂がカーボンセラミック入り合成ゴム芯材の上に積層された構造を有している。
なお、上記ラップ滑り止め部２３は、粘着性物質を塗布することによっても設けることができる。
【００６４】
また、上記収納ケース部２の底板部２４の裏面側には、図２及び図４に示すように、磁力を利用した固定手段２５として、粉末マグネット混入プラスチック板２６が接着されている。従って、使用しない場合は冷蔵庫等に吸着させて保管することができる。
【００６５】
また、上記蓋部３は、図１〜図４に示すように、上記収納ケース部２の上方を覆いうるように横長箱状に形成され、その幅方向後端部が上記収納ケース２の幅方向後端部に回動自在に連結されている。すなわち、上記収納ケース部２における後壁部２７の上端と、蓋部３の後壁部２８の下端にはそれぞれ長さ方向に沿ってヒンジ部２９，３０が形成され、それらヒンジ部２９，３０に回動中心軸３１が挿通されることにより、蓋部３と収納ケース部２は回動自在に連結されている。
【００６６】
すなわち、上記蓋部３は前方へ回転することにより，図３及び図４に示すように、上記収納ケース部２の上方を覆って閉止し、逆に後方へ回転することにより上記収納ケース部２の上方を開放しうるように形成されている。
【００６７】
上記蓋部３と収納ケース部２を回動自在に連結する部位には、図８及び図９に示すように、蓋部３が収納ケース部２に対し全開しないように、閉止した状態から略１３５°程度回転した状態でその回転を停止させうるストッパ３２，３３が設けられている。なお、このストッパ３２，３３の形状及び構造は自由であり、図示したものに限定されない。
【００６８】
また、図１〜図４に示すように、上記蓋部３の回動方向先端部、すなわち、幅方向前端部には刃部材３４が設けられている。この刃部材３４は、細幅金属板３５の一側縁に鋸歯３６を設けることにより形成され、その鋸歯３６は目立てされている。
【００６９】
上記刃部材３４は、図１に示すように、蓋部３における前壁部３７の少し後方に長さ方向に沿って配置され、その基端部は蓋部３に固着されている。
【００７０】
上記刃部材３４は、図３及び図４に示すように、蓋部３を前方へ回転させて上記収納ケース部２の上を覆って閉止したときに、上記刃部収納部１８内に上方から挿入し、上記前後一対の刃部収納壁部１９，２０の間に位置するように配置されている。
【００７１】
上記蓋部３の前端部で、図１に〜図４に示すように、上記刃部材３４の少し後方位置には、上記刃部材３４の長さ方向に沿って背板３８が設けられている。
【００７２】
上記背板３８は、図１〜図４に示すように、上記刃部材３４の刃先より先端が外方へ突出するように形成されている。また、上記蓋部３における前壁部３７の先端も上記刃部材３４の刃先より先端が外方へ突出するように形成されている。すなわち、上記刃部材３４の刃先は、上記背板３８の先端、及び前壁部３７の先端よりも低く形成されている。
従って、蓋部３を開いた状態で、上記刃部材３４の刃先に手の指を近づけた場合に、その指は背板３８の先端、又は前壁部３７の先端に接触し、刃部材３４の刃先に接触するのを妨げられる。これにより、指が刃先に触れて傷付くのを防止することができ、安全性を高めることができる。
【００７３】
また、上記背板３８は、図４に示すように、蓋部３を前方へ回転させて収納ケース部２の上を覆い閉止したときに、上記刃部収納壁部１９，２０の上に載置されたラップフィルム５を後側の刃部収納壁部２０の後方で上方から下方へ押し下げる機能を有している。これにより、ラップフィルム５に張力を付与することができる。
【００７４】
また、図１及び図７に示すように、蓋部３を前方へ回転させて収納ケース部２の上を覆い閉止した状態を固定するためのロック機構３９が設けられている。
【００７５】
上記ロック機構３９は、図１及び図７に示すように、ロック片４０と係止溝４１により構成されている。上記ロック片４０は上記蓋部３の長さ方向における両端の端壁部４２から先端が突出するように設けられ、上記係止溝４１は上記収納ケース部２の長さ方向における両端の端壁部８の内面部に形成されている。
そして、蓋部３を前方へ回転させて収納ケース部２の上を覆い閉止した状態で、上記ロック片４０の先端フック部４３が上記係止溝４１に係合することによりロック状態となるように形成されている。
【００７６】
上記蓋部３の外面部における幅方向前端部には、図３に示すように、指で摘んで蓋部３を開きやすくするために、ツマミ４４が設けられている。
【００７７】
本実施例に係るラップケース１は以下のように使用する。
【００７８】
まず、図１及び図２に示すように、蓋部３を後方へ回転させて収納ケース部２の上方を開放し、かつ、上記ラップ係止部材７を収納ケース部２の端壁部８から抜き出した状態、又は外方へ移動させた状態にして、空の収納ケース部２の内部に円筒状のラップ２を収納する。
【００７９】
この場合、上記蓋部３を開いた状態では、上記ストッパ３２，３３により蓋部３は全開しない状態で固定されるので、手の小さい人でもラップケース１を容易に保持できて、操作しやすい。
【００８０】
また、上記のように蓋部３を開いた状態で、その蓋部３に取り付けられた上記刃部材３４に手を近づけると、上記背板３８の先端、又は前壁部３７の先端に手が当たって、刃部材３４に手が触れるのを妨げられる。従って、手が傷付くのを防止される。
【００８１】
次に、上記ラップ係止部材７を上記端壁部８に装着し、又は内方へ移動させることにより、ラップ係止部材７の筒部１０をラップ４の巻芯６の内部に挿入する。これにより、収納ケース部２に対するラップ２の装填が終了し、ラップ２は収納ケース部２内に脱出不能に保持される。
【００８２】
所要長さのラップフィルム５を切り取って使用する場合は、図２に示すように、上記ラップ２から所要長さのラップフィルム５を引き出して、そのラップフィルム５の切断しようとする箇所を上記刃部収納部１８を構成する前後一対の上記刃部収納壁部１９，２０の上に載置する。このとき、ラップフィルム５は上記ラップ滑り止め部２３に接触して固定される。
【００８３】
次に、上記蓋部３を前方へ回転させて、図３及び図４に示すように、上記収納ケース部２の上を覆って閉止する。この操作を行うと、上記背板３８が後方の上記刃部収納壁部２０の後側でラップフィルム５を下方へ押し下げて張力を付与しながら、上記刃部材３４が刃部収納部１８を構成する前後一対の上記刃部収納壁部１９，２０の間に挿入してラップフィルム５を切断する。
【００８４】
この場合、ラップフィルム５の切縁部は上記後方の刃部収納壁部２０における上面部、前側面部及び後側面部に配置されたラップ滑り止め部２３に接触して固定されるので、ラップ４の巻き戻しが発生しない。
【００８５】
さらに、所要長さのラップフィルム５を切り取って使用する場合は、上記蓋部３を開いて、上記刃部収納壁部２０における上面部、前側面部及び後側面部に配置されたラップ滑り止め部２３に接触して固定されているラップフィルム５の切縁部を指で摘んで引き出すことになるが、その場合、上記刃部収納壁部１９，２０に形成された上記切欠部２１，２２に指先を挿入することにより容易に摘んで引き出すことができる。
【００８６】
ラップフィルム５を使い切ってラップ４を新しいものと交換する場合は、上記ラップ係止部材７を収納ケース部２の端壁部８から抜き出した状態、又は外方へ移動させた状態にして、ラップ４を容易に交換することができる。
【００８７】
使用しない場合は、上記蓋部３を閉じた状態で保管する。この場合、上記ロック機構３９により蓋部３の閉止状態が固定されて安易に開くのを防止できるので、ラップ４が抜け落ちたり、汚れるのを防止することができる。
【００８８】
そして、保管する場合は、上記収納ケース部２の底板部２４の裏面側に取り付けられた磁力を利用した固定手段２５により、冷蔵庫等の良く利用する機器に吸着させて保管することができる。
【図面の簡単な説明】
【００８９】
【図１】蓋部を開いた状態を示す斜視図である。
【図２】蓋部を開いた状態を示す断面図である。
【図３】蓋部を閉じた状態を示す斜視図である。
【図４】蓋部を閉じた状態を示す断面図である。
【図５】ラップ係止部材でラップを保持した状態を示す断面図である。
【図６】ラップ係止部材をラップから外した状態を示す断面図である。
【図７】蓋部を閉止してロックした状態を示す断面図である。
【図８】蓋部を閉じた状態の断面図である。
【図９】蓋部を開いてストッパにより所要角度で停止させた状態を示す断面図である。
【符号の説明】
【００９０】
１ラップケース
２収納ケース部
３蓋部
４ラップ
５ラップフィルム
６巻芯
７ラップ係止部材
８端壁部
９頭部
１０筒部
１１スリット
１２係止部
１３孔
１４リブ
１５ラップ摺接面
１６前壁部
１７顎板部
１８刃部収納部
１９刃部収納壁部
２０刃部収納壁部
２１切欠部
２２切欠部
２３ラップ滑り止め部
２４底板部
２５固定手段
２６粉末マグネット混入プラスチック板
２７後壁部
２８後壁部
２９ヒンジ部
３０ヒンジ部
３１回動中心軸
３２ストッパ
３３ストッパ
３４刃部材
３５細幅金属板
３６鋸歯
３７前壁部
３８背板
３９ロック機構
４０ロック片
４１係止溝
４２端壁部
４３フック部
４４ツマミ
【図１】
0004689953.tif 000002
【図２】
0004689953.tif 000003
【図３】
0004689953.tif 000004
【図４】
0004689953.tif 000005
【図５】
0004689953.tif 000006
【図６】
0004689953.tif 000007
【図７】
0004689953.tif 000008
【図８】
0004689953.tif 000009
【図９】
0004689953.tif 000010